(57)【要約】     【課題】  ４系統の信号を発信して照明器具のオンオフまたは明暗を操作することができ、掌に収まる程度のサイズに形成されていて、誰もが簡単に操作することのできる無線式照明操作装置を提供すること。    【解決手段】  レンズ型操作パッド３を4本のコイルスプリング５を介在させて円形の底板２を覆うように配置し、この操作パッド３の周縁部を操作パッド固定部材７で傾動可能に固定するとともに、操作パッド３上に指示された４箇所の押操作位置のいずれかの操作位置を押して操作パッド３を傾動させると、操作パッド３裏面に設けられたいずれかの操作パッド側端子１１が、スイッチユニット９の基板側端子８と接触してトランスミッタ１０から信号を発信するように形成した。【選択図】  図２
2006004888.tif 000002
【特許請求の範囲】
【請求項１】
無線信号を用いて４系統の信号を発信して室内照明器具を無線操作する無線式照明操作装置において、
前記信号を発信する信号発信機と、略円形の底板と、前記底板上面を覆うように配置された略円形の操作部と、前記底板に対し前記操作部を４方向のいずれにも選択的に傾動可能に保持する保持手段と、前記４方向のそれぞれいずれかに傾動させたときにスイッチ信号を出力するスイッチ手段と、前記４つのスイッチ信号を前記照明器具に振り分けたスイッチ信号送信部とを有することを特徴とする無線式照明操作装置。
【請求項２】
前記操作部は掌に収まる程度のサイズに形成し、前記操作部に掌をあてがった状態で任意の４箇所を操作できることを特徴とする請求項１に記載の無線式照明操作装置。
【請求項３】
前記操作部は、前記底板の裾部から前記操作部の操作面頂部まで連続した傾斜を有する凸レンズ型又は前記操作部の操作面周縁部から前記操作部の操作面略中央部まで連続した傾斜を有する凹レンズ型に形成し、前記凸レンズ型操作部又は凹レンズ型操作部の操作面には押操作指標を形成したことを特徴とする請求項１または２のいずれかに記載の無線式照明操作装置。
【請求項４】
前記操作部を、操作面が略平面の円盤型に形成し、前記円盤型操作部の操作面には対向する４個所に押操作指標を形成したことを特徴とする請求項１または２のいずれかに記載の無線式照明操作装置。
【発明の詳細な説明】
【技術分野】
【０００１】
本発明は、照明器具のオンオフまたは明暗を遠隔操作するための無線式照明操作装置に関する。
【背景技術】
【０００２】
照明器具に無線受信部を設け、無線式照明操作装置により照明器具のオンオフまたは明暗を切り換えるようにした照明器具が知られている。このように照明器具のオンオフ等を切り換えるためのトランスミッタを備えた無線式照明操作装置は、通常ＦＭトランスミッタが内蔵された無線式照明操作装置本体の外面に操作部としての突起部が設けられている。
【０００３】
特に、複数系統のオンオフ切換を行うための無線式照明操作装置においては、無線操作装置本体の外面に、制御する光源の数だけ操作突起部を設けたものや、オンオフ切換操作突起部と系統選択操作突起部を設けたものが多い。このような、無線式照明操作装置を以下に示す。
【０００４】
特許文献１に開示されている無線式照明操作装置３１は、２系統の光源を無線信号により操作する装置であって、図６に示すように、箱型の無線式照明操作装置本体３２の上蓋面３３に半円形の操作突起部３４と扇形の操作突起部３５および３６を設け、これら３つの突起部が全体として円形になるように配置されている。半円形の操作突起部３４は光源の系統選択操作部であって、扇形の操作突起部３５および３６はそれぞれ照明器具のオン操作部、オフ操作部である。
【０００５】
まず、系統選択操作部３４を押して２系統の光源のうち１系統の光源を選択し、更に、オン操作部３５またはオフ操作部３６を押して照明のオンまたはオフを操作する構成になっていて、これらを組み合わせることにより２系統の照明器具のオンオフ、即ち４種類のオンオフ組み合わせが得られるようになっている。
【特許文献１】特開平9-260067号公報
【発明の開示】
【発明が解決しようとする課題】
【０００６】
複数系統の照明器具を無線式操作装置により操作することは、一部屋に複数の間接照明を設置する場合などには特に有効である。特許文献１に開示された無線照明操作装置は、１つの無線式操作装置により２系統の光源を制御する構成にしたことで、設置された照明器具の数の操作装置を用いることなく照明器具のオンオフまたは明暗切り換えをすることができるようになった。
【０００７】
しかし、上記無線式照明操作装置で、一方の照明器具のオンオフを切り換える場合、系統選択操作部３４を押して任意の系統を選択した後、オン操作部３５またはオフ操作部３６を押してオンオフを切り換える必要があるので操作が煩雑である。また、系統選択操作部３４を目視しただけでは２系統の照明器具のうちいずれの照明器具が選択されている状態にあるかわからないという問題がある。
【０００８】
更に、複数の間接照明を設置する部屋は、一般に、部屋全体に統一感を持たせて設計される場合が多いが、照明器具と操作装置の選択もその例外ではなく、無線式照明操作装置においてもできるだけ少ない部品で構成され、美観的にも優れた形状であって、誰でも簡単に操作できるものを提供することが望まれている。
【０００９】
本願発明の目的は、上記観点に鑑みなされたものであって、できるだけ簡単で美観に優れた構成とし、且つ、誰もが容易に操作することができる無線式照明操作装置を提供しようとするものである。
【課題を解決するための手段】
【００１０】
本願発明の第一の構成は、無線信号を用いて４系統の信号を発信して室内照明器具を無線操作する無線式照明操作装置において、
前記信号を発信する信号発信機と、略円形の底板と、前記底板上面を覆うように配置された略円形の操作部と、前記底板に対し前記操作部を４方向のいずれにも選択的に傾動可能に保持する保持手段と、前記４方向のそれぞれいずれかに傾動させたときにスイッチ信号を出力するスイッチ手段と、前記４つのスイッチ信号を前記照明器具に振り分けたスイッチ信号送信部とを有することを特徴とする。
【００１１】
本願発明の第二の構成は、前記操作部は掌に収まる程度のサイズに形成し、前記操作部に掌をあてがった状態で任意の４箇所を操作できることを特徴とする。
【００１２】
本願発明の第三の構成は、前記操作部は、前記底板の裾部から前記操作部の操作面頂部まで連続した傾斜を有する凸レンズ型又は前記操作部の操作面周縁部から前記操作部の操作面略中央部まで連続した傾斜を有する凹レンズ型に形成し、前記凸レンズ型操作部又は凹レンズ型操作部の操作面には押操作指標を形成したことを特徴とする。
【００１３】
本願発明の第四の構成は、前記操作部を、操作面が略平面の円盤型に形成し、前記円盤型操作部の操作面には対向する４個所に押操作指標を形成したことを特徴とする。
【発明の効果】
【００１４】
請求項１に係る発明によれば、操作部を４方向のいずれかに傾けるだけで照明装置のオンオフまたは明暗を切り換えることができるので、離れた位置にある照明装置を簡単に操作することができる。また、４箇所の操作位置は、照明器具のオンオフまたは明暗にそれぞれ対応しているので、一度の操作で間違いなく目的の照明器具のオンオフ等を切り換えることができる。
【００１５】
請求項２に係る発明によれば、無線式操作装置を掌に収まる程度のサイズに形成したことで、照明器具のオンオフ操作を片手で楽にすることができるとともに、総重量を軽量化することができるので壁やテーブル上などあらゆる場所に設置することができる。
【００１６】
請求項３および４にかかる発明によれば、操作部の操作面を凹レンズ型、凸レンズ型または円盤型に形成し、押操作位置を「オンオフ」や「入切」等の文字によらずに指示することで誰もが間違いなく操作することができる。
【００１７】
また、余計な部品や文字が排除されていて全体として洗練された構成であるので、部屋全体の構成に装飾的に溶け込む美観に優れた操作装置を提供することができる。従って、この操作装置を壁やテーブル上に設置した場合にも部屋全体の統一感を損なうことがない。
【発明を実施するための最良の形態】
【００１８】
本発明の実施の形態を図１に示す。
【００１９】
図１（ａ）は、本発明の第一の実施の形態にかかる無線式照明操作装置の平面図、図１（ｂ）は図１(ａ)に示す無線式照明操作装置のＡ方向からの側面図、図２は図１に示す無線操作式照明操作装置の分解斜視図である。
【００２０】
この無線式照明操作装置１は、トランスミッタ１０等の信号発信機が設置された円形の底板２と、この底板２のカバー部を兼用する略真円形の凸レンズ型操作パッド３とで構成されていて、操作パッド３が底板２の上面を覆い、無線式照明操作装置１全体が大人の掌に収まる大きさの四方向スイッチに形成されている。
【００２１】
具体的には、図２に示すように、操作パッド３は、軸ネジ４によって軸支されている４本のコイルスプリング５を等間隔に介在させた状態で、軸ネジ４により底板２のネジ受け溝２ａに固定されている円形基板６の同心上に配置されている。
【００２２】
更に、操作パッド３は、操作パッド３の外径よりもその内径が一回り小さいリング形状であってリング外周から内周に向かって連続的に天板部が高くなる形状の操作パッド固定部材７により、操作パッドの周縁部を覆うように底板２に固定されている。
【００２３】
従って操作パッド３は、非操作時にはコイルスプリング５のバネ力が操作パッド３を上方に付勢し、操作時には操作パッド３が操作パッド固定部材７の内空間の範囲で中心軸Ｏを中心に傾斜する４方向スイッチボタンとして機能するようになっている。
【００２４】
操作パッド３の操作面には、触知可能な押操作指標３ａ〜３ｄが形成されている。本実施の形態においては図１(ａ)に示すように、操作パッド３のクロス状に対向する４点が、例えば、２系統の照明器具ＡおよびＢの操作位置になっていて、対向する操作指標３ａと３ｂがそれぞれ図３に示す照明器具Ａのオン操作部およびオフ操作部、３ｃと３ｄがそれぞれ照明器具Ｂのオン操作部およびオフ操作部になっている。
【００２５】
操作指標３ａ〜３ｄは、図１(ａ)に示すような凹凸部、もしくは凸状突起のように簡単な形状で指示されていて、目視または触知することで簡単に操作位置がわかるようになっている。
【００２６】
尚、操作する照明器具への操作部の割り当ては、上記２系統の照明器具のオン操作部オフ操作部に限られるものではなく、４系統の照明器具のオンオフを切り換えるものであってもよいし、２系統の照明器具の明暗を切り換えるものであってもよく、4つの操作信号に対応するように形成すればよい。
【００２７】
一方、無線信号操作装置１の信号発信のための内部構造は、図２に示すように、底板２上には、無線信号発信装置としての上端に基板側端子８が設置されたスイッチユニット９とトランスミッタ１０が設置されている。操作パッド３の操作面の裏面にはパッド側端子１１ａ〜１１ｂがそれぞれ押操作位置３ａ〜３ｄに対応するように取り付けられている。コイルスプリング５が伸びた状態では、この操作パッド側端子１１は、基板側端子８と非接触状態にあるが、操作パッド３を傾けると、いずれかの操作パッド側端子１１が基板側端子８に接触してスイッチユニット９がオン状態となりトランスミッタ１０から、例えば、３００ＭＨｚから３５０ＭＨｚ程度のＶＨＦ信号やＵＨＦ信号が送信される構造になっている。
【００２８】
尚、信号発信機は上記のスイッチユニット９およびトランスミッタ１０に限られるものではなく、例えばＬＥＤ信号発信機のように他の構成により無線信号を発信するものであってもよい。また、信号発信機は、円形の基板に取り付けられるものに限られるものではなく、他の形状の基板に取り付けてもよいし、基板を介在させずに底板２の任意の位置に取り付けてもよい。
【００２９】
図３は、本発明の第二の実施の形態にかかる無線式照明操作装置２１の側面図である。操作パッド２２は、略真円形で操作面が略平面の円盤形状に形成されていて、この円盤型操作パッド２２が、図１に示す無線式照明操作装置１の凸レンズ型操作パッド３に替えてセットされている。
【００３０】
図４(ａ)は、本発明の第三の実施の形態にかかる無線式照明操作装置２３の平面図、図４（ｂ）は側面図である。無線式照明操作装置２３は、図１に示す無線式照明操作装置１の凸レンズ型操作パッド３と、操作パッド固定部材７に替えて、凹レンズ型操作パッド２４と、円筒形の枠部材２５が用いられている。具体的には、図４に示すように底板２の周縁部に枠部材２５が固定されていて、この枠部材の内側に凹レンズ型の操作パッド２４が位置し、凹レンズ型操作パッド２４の中心軸を中心に傾斜する４方向スイッチボタンとして機能するようになっている。この凹レンズ型操作パッド２４の操作面には、凹面に形成された触知可能な押操作指標２６が２箇所形成されていて、照明器具ＡまたはＢの操作位置を示している。尚、押操作指標２６は２箇所に限られるものではなく、対向する４箇所に設けてもよい。
【００３１】
尚、これら無線式照明操作装置１、２１、２３の基板上にＬＥＤ等の発光素子を配置し、操作パッドや、固定部材又は枠部材を透光性の樹脂等で形成することで、ＬＥＤのオンオフにより無線操作装置の動作、非動作を認識することができるようにしてもよい。
【００３２】
更に、これら無線式照明操作装置１、２１、２３の操作パッドおよび底板の形状は図１または図２に示すように真円形に限られるものではなく楕円形であってもよい。
【００３３】
図５は、図１から図４に示す無線式操作装置を室内に設置した状態を示す。例えば、２系統の照明器具ＡおよびＢにはそれぞれ信号受信装置としての信号受信機１２ａおよび１２ｂが設置されていて、無線式操作装置１から発信される信号を受信して点灯消灯または明暗の調節をするようになっている。
【００３４】
無線式操作装置１、２１、２３は、指方向性なく信号を発信し、且つ、掌サイズで総重量も軽いため、あらゆる場所に設置することが可能で、例えば壁に取り付けてもよいし、テーブルの上に載置して使用してもよい。
【図面の簡単な説明】
【００３５】
【図１】本発明の無線式照明操作装置の、第一の実施の形態を示し、（ａ）は平面図、（ｂ）は側面図。
【図２】図１に示す無線式照明操作装置の分解斜視図。
【図３】本発明の無線式照明操作装置の、第二の実施の形態を示す側面図。
【図４】本発明の無線式照明操作装置の、第三の実施の形態を示し(ａ)は平面図（ｂ）は側面図。
【図５】図１に示す無線式照明操作装置を室内に設置した状態。
【図６】従来の無線式照明操作装置の平面図。
【符号の説明】
【００３６】
１    無線式照明操作装置
２    底板
２ａ  ネジ受け溝
３    凸レンズ型操作パッド
３ａ〜ｄ  押操作指標
４    軸ネジ
５    コイルスプリング
６    円形基板
７    操作パッド固定部材
８    基板側端子
９    スイッチユニット
１０    トランスミッタ
１１    操作パッド側端子
１２ａ  信号受信装置  
１２ｂ  信号受信装置
Ａ      照明器具
Ｂ      照明器具
２１    無線式照明操作装置
２２    円盤型操作パッド
２３    無線式照明操作装置
２４    凹レンズ型操作パッド
２５    円筒形枠部材
２６    押操作指標
３１    無線式照明操作装置
３２    無線式照明操作装置本体
３３    上蓋面
３４    系統選択操作部
３５    オン操作部
３６    オフ操作部
【図１】
2006004888.tif 000003
【図２】
2006004888.tif 000004
【図３】
2006004888.tif 000005
【図４】
2006004888.tif 000006
【図５】
2006004888.tif 000007
【図６】
2006004888.tif 000008